(57)【要約】【課題】通信ネットワーク内の光ファイバ・ケーブルの動作をテストする方法を提供する。【解決手段】光損失テスト・セット（ＯＬＴＳ）機器は、被試験第１ファイバの組の識別子のレンジを受ける(502)。第１ファイバの組は、１つ以上のファイバを備え、レンジ内に含まれ、次の被試験ファイバの組である。第１ファイバの組がＯＬＴＳ機器に接続されているか否かを判断する(506)。第１ファイバの組がＯＬＴＳ機器に接続されていると判断すると、ＯＬＴＳ機器を用いて第1ファイバの組のテストを行う(516)。第２ファイバの組の識別子を表示する。第２ファイバの組は、レンジ内に含まれ、次の被試験ファイバの組を構成する。【選択図】図５
2015059938.tif 000002
【特許請求の範囲】
【請求項１】
第１ユニット及び第２ユニットを有する光損失テスト・セット（ＯＬＴＳ）機器を用いて、通信ネットワーク内で１つ以上のファイバを夫々有する光ファイバ・ケーブルの動作をテストする方法であって、
被試験ファイバの組の識別子のレンジを受けるステップと、
上記レンジ内に含まれ、次の被試験ファイバの組を含む第１ファイバの組の識別子を表示するステップと、
上記第１ファイバの組が上記ＯＬＴＳ機器に接続されているか否かを判断するステップと、
上記第１ファイバの組が上記ＯＬＴＳ機器に接続されているとの判断に応答して、上記ＯＬＴＳ機器を用いて上記第１ファイバの組のテストを実行するステップと、
上記レンジ内に含まれ、上記次の被試験ファイバの組を含む第２ファイバの組の識別子を表示するステップと
を備える方法。
【請求項２】
上記ＯＬＴＳ機器の上記第１ユニットを用いて、実行したテストの結果をユーザに提供するステップを更に備える請求項１の方法。
【請求項３】
上記第１ファイバの組が上記ＯＬＴＳ機器に接続されたか否かを判断する上記ステップは、複数の光信号を上記第１ファイバの組に送ることを備える請求項１の方法。
【請求項４】
上記第１ファイバの組が第１ファイバ及び第２ファイバを備え、上記第１ファイバの組が上記ＯＬＴＳ機器に接続されているか否かを判断する上記ステップは、上記第１ファイバの第１端部が上記第１ユニットの出力ポートに接続されているか否か、また上記第１ファイバの第２端部が上記第２ユニットの入力ポートに接続されているか否かを検出し、上記第２ファイバの第１端部が上記第１ユニットの入力ポートに接続されているか否か、また上記第２ファイバの第２端部が上記第２ユニットの出力ポートに接続されているか否かを判断する請求項１の方法。
【請求項５】
上記ＯＬＴＳ機器を用いて上記第１ファイバの組のテストを実行する上記ステップは、上記第１ファイバの組に対応するパワー・レベル値を判断し、上記パワー・レベル値を上記基準パワー・レベル値と比較する請求項１の方法。
【請求項６】
第１ユニット及び第２ユニットを有する光損失テスト・セット（ＯＬＴＳ）機器を用いて、通信ネットワーク内の光ファイバ・ケーブルの動作をテストするコンピュータ・プログラムを記憶したコンピュータ読み取り可能な記録媒体であって、
上記コンピュータ・プログラムは、
被試験ファイバの組の識別子のレンジを受けるプログラム・インストラクションと、
上記レンジ内に含まれ、次の被試験ファイバの組を含む第１ファイバの組の識別子を表示するコンピュータ・インストラクションと、
上記第１ファイバの組が上記ＯＬＴＳ機器に接続されているか否かを判断するコンピュータ・インストラクションと、
上記第１ファイバの組が上記ＯＬＴＳ機器に接続されているとの判断に応答して、上記第１ファイバの組のテストを実行するコンピュータ・インストラクションと、
上記レンジ内に含まれ、上記次の被試験ファイバの組を含む第２ファイバの組の識別子を表示するコンピュータ・インストラクションと
を備えるコンピュータ・プログラムを記憶したコンピュータ読み取り可能な記録媒体。
【請求項７】
光損失テスト・セット（ＯＬＴＳ）機器を用いて通信ネットワーク内の外部光源に接続された光ファイバの動作を試験する方法であって、
上記光ファイバが上記ＯＬＴＳ機器に接続されているか否かを判断するステップと、
上記光ファイバが上記ＯＬＴＳ機器に接続されているとの判断に応答して接続状態インディケータを表示するステップと、
上記光ファイバが上記ＯＬＴＳ機器に接続されているとの判断に応答して、上記ＯＬＴＳ機器を用いて上記光ファイバのテストを実行するステップと、
上記光ファイバが上記ＯＬＴＳ機器から切断されたか否かを判断するステップと
を備える方法。
【発明の詳細な説明】
【技術分野】
【０００１】
本発明は、光挿入損失の評価に関し、特に、光損失テスト機器を用いて光ファイバをテストする方法に関する。
【背景技術】
【０００２】
光ファイバは、当該分野において一般に知られており、典型的には、コアの反射係数よりも小さい反射係数の筒状被覆（クラッディング）内に包まれた適切なガラス又はプラスチック材料の透明なコアを備える。プラスチックのジャケット又はコーティングがファイバの外側を保護する。光信号がファイバの一端に焦点を結ぶと、ファイバ・コアは、ウェーブガイドとして機能し、比較的小さな内部輝度損失と被覆への信号の無視できる伝送とにより、コアを介して光信号を伝送又は伝搬する。この形式の光ファイバの重要な特徴は、ファイバの穏やかなひねりや曲がりが光信号の伝送にわずかな影響を与えるか、又は影響を与えないことである。ファイバ光ケーブルは、単一のファイバ又は多くの光ファイバで構成してもよい。各ファイバは、信号を完全に封じ込め且つ伝送し、実質的に光エネルギーを外部に放射しないことにより、その動作において、独立した光ウェーブガイドである。
【０００３】
ファイバ光ネットワークを取り付ける及び／又はこの光ネットワークをサービスする際に、光ネットワーク内の挿入損失を測定できることが必要である。隣接する光ファイバの間の適切な物理的接触を確認し、システム損失の割り当て量（バジェット）を維持するために、光ネットワーク内の挿入損失を許容制限内に特定しなければならない。
【先行技術文献】
【特許文献】
【０００４】
【特許文献１】特開２０１３−１４５１５２号公報
【発明の概要】
【発明が解決しようとする課題】
【０００５】
現在、光ファイバの挿入損失を特定する１つの方法は、ハンドヘルド光損失テスト・セットを用いて、隣接する光ファイバの間に１つ以上の接合点を含むかもしれない光ファイバの長さ方向にわたって挿入損失を測定している。そこで、通信ネットワーク内の光ファイバ・ケーブルの動作をテスト（試験）する際に、ユーザが挿入損失テストを容易且つ効果的に制御できる方法が望まれている。
【課題を解決するための手段】
【０００６】
課題を解決するための手段として、本発明の概念は、次のようなものである。
（１）第１ユニット及び第２ユニットを有する光損失テスト・セット（ＯＬＴＳ）機器を用いて、通信ネットワーク内で１つ以上のファイバを夫々有する光ファイバ・ケーブルの動作をテストする方法であって；被試験ファイバの組の識別子のレンジを受けるステップと；上記レンジ内に含まれ、次の被試験ファイバの組を含む第１ファイバの組の識別子を表示するステップと；上記第１ファイバの組が上記ＯＬＴＳ機器に接続されているか否かを判断するステップと；上記第１ファイバの組が上記ＯＬＴＳ機器に接続されているとの判断に応答して、上記ＯＬＴＳ機器を用いて上記第１ファイバの組のテストを実行するステップと；上記レンジ内に含まれ、上記次の被試験ファイバの組を含む第２ファイバの組の識別子を表示するステップと備える方法。
（２）上記ＯＬＴＳ機器の上記第１ユニットを用いて、実行したテストの結果をユーザに提供するステップを更に備える概念１の方法。
（３）上記被試験ファイバの組の識別子のレンジは、上記ＯＬＴＳ機器が予め定めた被試験ファイバの組の識別子のレンジを備える概念１の方法。
（４）上記第１ファイバの組が上記ＯＬＴＳ機器に接続されたか否かを判断する上記ステップは、複数の光信号を上記第１ファイバの組に送ることを備える概念１の方法。
（５）上記第１ユニット及び上記第２ユニットの各々は、入力ポート及び出力ポートを有する概念１の方法。
（６）上記第１ファイバの組が第１ファイバ及び第２ファイバを備え、上記第１ファイバの組が上記ＯＬＴＳ機器に接続されているか否かを判断する上記ステップは、上記第１ファイバの第１端部が上記第１ユニットの出力ポートに接続されているか否か、また上記第１ファイバの第２端部が上記第２ユニットの入力ポートに接続されているか否かを検出し、上記第２ファイバの第１端部が上記第１ユニットの入力ポートに接続されているか否か、また上記第２ファイバの第２端部が上記第２ユニットの出力ポートに接続されているか否かを判断する概念１の方法。
（７）基準パワー・レベル値を判断するステップを更に備える概念１の方法。
（８）上記ＯＬＴＳ機器を用いて上記第１ファイバの組のテストを実行する上記ステップは、上記第１ファイバの組に対応するパワー・レベル値を判断し、上記パワー・レベル値を上記基準パワー・レベル値と比較する概念７の方法。
（９）上記ＯＬＴＳ機器の上記第１ユニットにて実行したテストの結果を蓄積するステップを更に備える概念２の方法。
【０００７】
（１０）第１ユニット及び第２ユニットを有する光損失テスト・セット（ＯＬＴＳ）機器を用いて、通信ネットワーク内の光ファイバ・ケーブルの動作をテストするコンピュータ・プログラムを記憶したコンピュータ読み取り可能な記録媒体であって；上記コンピュータ・プログラムは；被試験ファイバの組の識別子のレンジを受けるプログラム・インストラクションと；上記レンジ内に含まれ、次の被試験ファイバの組を含む第１ファイバの組の識別子を表示するコンピュータ・インストラクションと；上記第１ファイバの組が上記ＯＬＴＳ機器に接続されているか否かを判断するコンピュータ・インストラクションと；上記第１ファイバの組が上記ＯＬＴＳ機器に接続されているとの判断に応答して、上記第１ファイバの組のテストを実行するコンピュータ・インストラクションと；上記レンジ内に含まれ、上記次の被試験ファイバの組を含む第２ファイバの組の識別子を表示するコンピュータ・インストラクションとを備えるコンピュータ・プログラムを記憶したコンピュータ読み取り可能な記録媒体。
（１１）上記コンピュータ・プログラムは、上記実行したテストの結果をユーザに提供するプログラム・インストラクションを更に備える概念１０のコンピュータ読み取り可能な記録媒体。
（１２）上記被試験ファイバの組の識別子のレンジは、上記ＯＬＴＳ機器が予め定めた被試験ファイバの組の識別子のレンジを備える概念１０のコンピュータ読み取り可能な記録媒体。
（１３）上記第１ファイバの組が上記ＯＬＴＳ機器に接続されたか否かを判断する上記プログラム・インストラクションは、複数の光信号を上記第１ファイバの組に送るプログラム・インストラクションを備える概念１０のコンピュータ読み取り可能な記録媒体。
（１４）上記第１ユニット及び上記第２ユニットの各々は、入力ポート及び出力ポートを有する概念１０のコンピュータ読み取り可能な記録媒体。
（１５）上記第１ファイバの組が第１ファイバ及び第２ファイバを備え、上記第１ファイバの組が上記ＯＬＴＳ機器に接続されているか否かを判断する上記プログラム・インストラクションは、上記第１ファイバの第１端部が上記第１ユニットの出力ポートに接続されているか否か、また上記第１ファイバの第２端部が上記第２ユニットの入力ポートに接続されているか否かを検出するプログラム・インストラクションと、上記第２ファイバの第１端部が上記第１ユニットの入力ポートに接続されているか否か、また上記第２ファイバの第２端部が上記第２ユニットの出力ポートに接続されているか否かを判断するプログラム・インストラクションを備える概念１０のコンピュータ読み取り可能な記録媒体。
（１６）基準パワー・レベル値を判断するプログラム・インストラクションを更に備える概念１０のコンピュータ読み取り可能な記録媒体。
（１７）上記ＯＬＴＳ機器を用いて上記第１ファイバの組のテストを実行する上記プログラム・インストラクションは、上記第１ファイバの組に対応するパワー・レベル値を判断するプログラム・インストラクションと、上記パワー・レベル値を上記基準パワー・レベル値と比較するプログラム・インストラクションを備える概念１６のコンピュータ読み取り可能な記録媒体。
（１８）上記ＯＬＴＳ機器の上記第１ユニットにて実行したテストの結果を蓄積するプログラム・インストラクションを更に備える概念１１コンピュータ読み取り可能な記録媒体。
【０００８】
（１９）光損失テスト・セット（ＯＬＴＳ）機器を用いて通信ネットワーク内の外部光源に接続された光ファイバの動作を試験する方法であって；上記光ファイバが上記ＯＬＴＳ機器に接続されているか否かを判断するステップと；上記光ファイバが上記ＯＬＴＳ機器に接続されているとの判断に応答して接続状態インディケータを表示するステップと；上記光ファイバが上記ＯＬＴＳ機器に接続されているとの判断に応答して、上記ＯＬＴＳ機器を用いて上記光ファイバのテストを実行するステップと；上記光ファイバが上記ＯＬＴＳ機器から切断されたか否かを判断するステップを備える方法。
（２０）上記光ファイバが上記ＯＬＴＳ機器に接続されたか否かを判断するステップは、上記外部光源が伝送した光信号を検出するステップを備える概念１９の方法。
【０００９】
添付図は、本発明による種々の実施例を限定することなく示すものである。
【図面の簡単な説明】
【００１０】
【図１】図１は、本発明の実施例が用いる通信ネットワークの例を示す図である。
【図２Ａ】図２Ａは、本発明の実施例によるＯＬＴＳ機器のメイン・ユニットの光トポロジのブロック図である。
【図２Ｂ】図２Ｂは、本発明の実施例による図２のＯＬＴＳ機器のメイン・ユニットの外観図である。
【図３】図３は、本発明の実施例による例示のファイバ光トラック・ケーブルの側面図である。
【図４Ａ】図４Ａは、本発明の実施例により、損失計算のために基準パワー・レベルを確立する接続配置を示す図である。
【図４Ｂ】図４Ｂは、本発明の実施例により、図２Ａ及び図２Ｂのメイン・ユニットがユーザに示す基準パワー・レベルのテスト結果を説明するスクリーン表示例を示す図である。
【図４Ｃ】図４Ｃは、本発明の実施例により、被試験光ファイバ・リンクにＯＬＴＳ機器の両方のユニットを取り付ける接続配置を示す図である。
【図４Ｄ】図４Ｄは、本発明の実施例により、図４Ｃの被試験ファイバ・リンクでの損失テスト結果を説明するスクリーン表示例を示す図である。
【図５】図５は、本発明の実施例により、図２Ａのテスト・マネージャー・プログラムの動作ステップを説明する流れ図である。
【発明を実施するための形態】
【００１１】
本発明の目的及び利点は、以下の説明から明らかになろう。本発明の更なる利点は、添付図と共に特に請求項で指摘した装置、システム及び方法により実現且つ達成できるだろう。
【００１２】
本発明の実施例によれば、１つの概念において、第１ユニット及び第２ユニットを有する光損失テスト・セット（ＯＬＴＳ）機器を用いて、通信ネットワーク内の光ファイバ・ケーブルの動作をテストする方法は、被試験（被テスト）ファイバの組の識別子のレンジ（識別子の範囲を示すデータ）を受ける。被試験第１ファイバの組の識別子が表示される。この第１ファイバの組は、１つ以上のファイバを備えている。また、第１ファイバの組は、次の被試験ファイバの組である。第１ファイバの組がＯＬＴＳ機器に接続されているか否かの判断を行う。第１ファイバの組がＯＬＴＳ機器に接続されているとの判断に応答して、ＯＬＴＳ機器を用いて第１ファイバの組の動作テストを実行する。第２ファイバの組の識別子を表示する。第２ファイバの組は、レンジ内に含まれ、次の被試験ファイバの組を備える。
【００１３】
他の概念では、光損失テスト・セット（ＯＬＴＳ）機器を用いて、通信ネットワーク内の外部光源に接続された光ファイバの動作をテストする方法は、光ファイバがＯＬＴＳ機器に接続されているか否かの判断を含む。光ファイバがＯＬＴＳ機器に接続されているとの判断に応答して、接続状態インディケータが表示される。ＯＬＴＳ機器を用いて、光ファイバをテストする。光ファイバがＯＬＴＳ機器から切断されたか否かを判断する。
【実施例】
【００１４】
以下に、添付図を参照して本発明をより詳細に説明する。添付図に本発明の実施例を示すが、同様な参照符号は、同様な要素を示す。以下に記載する本発明の実施例は、本発明を単に説明するものであるので、本発明は、説明する実施例に何ら限定されるものではなく、当業者に明らかな如く種々の形式で実施できる。よって、ここに開示するいかなる構造的及び機能的な詳細も限定を意図するものではなく、単に請求項の根拠として、本発明を種々に利用する当業者に説明するためであることが理解できよう。さらに、ここで用いる用語及び熟語は、限定を意図するものではなく、本発明を理解するためのものである。
【００１５】
定義しない限り、ここで用いる技術的及び科学的用語は、本発明が属する技術における当業者が通常に理解できるのと同じ意味である。ここで説明するのと類似又は等価ないかなる方法及びシステムも本発明の実行又はテストに用いることができるが、ここでは例示的な方法及びシステムについて記載する。ここで述べる全ての刊行物は、これら刊行物が引用することに関連した方法及び／又はシステムを開示し記載するための参考としてここに含める。ここで開示するこれら刊行物は、本願の出願日前の開示として単独で提供するものである。本発明は、以前の発明によって、係る刊行物よりも先立つものではない。さらに、提供された刊行物の日付は、個別に確認する必要があるかもしれない実際の刊行日と異なっている可能性もある。
【００１６】
本明細書及び請求項にて用いる単数表現は、その文脈から明らかな場合を除いて、複数表現も含むことに留意されたい。よって、例えば、「単一の刺激」は、複数の場合の刺激も含むし、「その信号」は、１つ以上の信号や当業者に既知の等価な信号も含むし、以下同様である。
【００１７】
以下に説明する本発明の実施例は、コンピュータが利用可能な媒体に記録された好ましいソフトウェア・アルゴリズム、プログラム又はコードであり、その制御ロジックは、コンピュータ・プロセッサを有するマシーン上で実行可能であることが明らかである。このマシーンは、コンピュータ・アルゴリズム又はプログラムの実行から出力を行うように構成されたメモリ・ストレージを典型的に含む。
【００１８】
ここで用いる用語「ソフトウェア」は、ハードウェア、ファームウェアにて、又はディスク、メモリ・ストレージ装置上で、若しくは遠隔マシーンからのダウンロードで利用可能なソフトウェア・コンピュータ製品にて実現されるかにかかわらず、ホスト・コンピュータのプロセッサ内に存在できる任意のコード又はプログラムと同意語を意味する。ここで記載する実施例は、上述の均等物、関連性及びアルゴリズムを実現するソフトウェアを含むものである。また、上述の実施例に基づく本発明の特徴及び利点が当業者に理解できよう。よって、本発明は、添付の請求項が示すものを除いて、何を特に示し且つ説明したかによって制限されない。
【００１９】
本発明の好適実施例による方法は、光ネットワークにおける光ファイバをテストする手のひらサイズのＯＬＴＳ機器を好ましくは用いる。このＯＬＴＳ機器は、例えば、ファイバの挿入損失を測定でき、活動しているトラフィックを検出できる。このＯＬＴＳ機器を用いて、接続性とネットワーク問題をテストできる。ここで説明するＯＬＴＳ機器（テスタ機器）は、好ましくは、基準パワー・レベルを測定した後に、２つの波長にて２つのファイバの光損失を測定できる。ＯＬＴＳ機器は、２つのユニット（以下、「メイン・ユニット」及び「リモート・ユニット」（遠隔ユニット）と呼ぶ）を含んでいる。利点としては、ここで説明するＯＬＴＳ機器を用い、各テストの間でＯＬＴＳ機器といかなる直接的な相互作用もなくＯＬＴＳ機器を複数のファイバ対に再接続することによって、ユーザがファイバ光ケーブル内の伝送リンクのテストを容易且つ効果的に制御できる。
【００２０】
通信ネットワークは、通信リンク及びセグメントにより相互接続された複数ノードの地理的に分布した集合であり、パーソナル・コンピュータ、ワークステーションなどのエンド・ノードの間で、又はセンサなどの他の装置の間でデータを伝送する。多くの形式のネットワークが利用可能であり、その形式は、ローカル・エリア・ネットワーク（ＬＡＮ）からワイド・エリア・ネットワーク（ＷＡＮ）までの範囲である。ＬＡＮは、典型的には、ビル又はキャンパスのように同じ一般的な物理的場所内に配置された専用プライベート通信リンクを介して複数のノードを接続する。一方、ＷＡＮは、典型的には、共通のキャリアの電話線、光学的光経路、同期光ネットワーク（ＳＯＮＥＴ）、同期デジタル・ハイアラキ（ＳＤＨ）リンク、又はパワー・ライン通信（ＰＬＣ）などの長距離通信リンクを介して地理的に分散した複数ノードを接続する。
【００２１】
図１は、本発明の実施例が適用される例示の通信ネットワーク１００のブロック図である。この通信ネットワーク１００は、通信の種々の方法で相互接続されたノード／装置１０１〜１０８（例えば、モバイル装置、サーバー、ルーター、無線ステーションなど）を備えている。例えば、リンク１０９は、無線通信媒体を備えてもよく、あるノードは、例えば、距離、信号長、現在の動作状態、場所などに基づいて、他のノードと通信を行う。さらに、当業者に明らかな如く、種々の有線プロトコル及び無線プロトコルなど適切なものに応じて所定のネットワーク通信プロトコルを用いて、装置の各々が他の装置とデータ・パケット（又はフレーム）を通信できる。この文脈において、プロトコルは、どのようにノードが互いに相互作用するかを定義する１組のルールにより構成される。
【００２２】
本発明の実施例によれば、例示の通信ネットワーク１００は、１つ以上のファイバ光リンク１１０を含んでもよい。ファイバ光リンク１１０は、両端部で光送受信機１０７に接続されて、送信光信号を電気信号に変換できる。光送受信機１０７は、例えば、スモール・フォーム・ファクター・プラガブル（ＳＦＰ）モジュールでもよいが、これに限定されるものではない。
【００２３】
任意の数のノード、装置、リンクなどをコンピュータ・ネットワークに用いることができ、ここでの図示は簡略化したものであることが当業者には理解できよう。また、ここでは、実施例を一般的なネットワーク・クラウドに関連して示しているが、ここでの説明に限定されるものではなく、ハードワイヤ接続されたネットワークにも適用できる。
【００２４】
図２Ａを参照すれば、本発明の実施例によるＯＬＴＳ機器のメイン・ユニット２００の光トポロジのブロック図が示されている。ＯＬＴＳ機器は、ショート・レンジ遠隔通信システムの如き遠隔通信システム内の光ファイバを試験しテストするように設計されている。本発明の実施例によれば、図２Ａに示す光トポロジは、１つ以上の光源２１２を備えている。本発明の種々の実施例に使用できる光源２１２は、連続波（ＣＷ）及び／又は変調された伝送が可能なＬＥＤ又はレーザを含むが、これらに限定されるものではない。コンバイナ、結合器などを用いて、複数の光源２１２が放射した光が組合される。１つ以上の光源２１２は、光ファイバ２１４によりメイン・ユニット２００の出力ポート２４０に接続される。メイン・ユニット２００の入力ポート２２０は、ＯＬＴＳ機器のパワー・メータ部分に用いるが、好適な実施例においては、光ＰＩＮダイオードを含んでもよい。この場合と異なる図２Ａに示す実施例においては、光ＰＩＮ検出器（光検出器）２２４が光ファイバ２２２を介して入力ポート２２０に接続される。光検出器２２４は、反射光を電気エネルギーに変換する。この電気エネルギーは、演算増幅器２２６に供給されて増幅される。演算増幅器２２６の利得は、利得スイッチ２３０の動作により可変され、広範囲の光パワー・レベルを検出できる。アナログ・デジタル（Ａ／Ｄ）変換器２２８は、アナログ信号をデジタル信号に変換する。このデジタル信号は、次に、平均化されて、信号対ノイズ比を改善する。このデジタル信号が、本発明によるテスト（測定）に使用される。
【００２５】
１つ以上のマイクロプロセッサ（ＣＰＵ２３２）は、ソフトウェア・プログラムを実行し、データ構造を操作するのに適したハードウェア要素又はハードウェア・ロジックを備える。１つ以上のマイクロプロセッサ２３２は、例えば、テスト・マネージャー・プログラム２３５を実行する。このプログラムは、メモリ／ストレージ（記録媒体）２３４に蓄積（記録）されて、メイン・ユニット２００の動作を制御する。なお、本願では、「蓄積」は「記録」を含む意味である。テスト・マネージャー・プログラム２３５は、１つ以上のコンピュータ読み取り可能なストレージ装置（記録媒体）に蓄積されたプログラム・インストラクションを備える。なお、このストレージ装置は、メイン・ユニット機器２００の内部ストレージ２３４を含んでもよい。テスト・マネージャー・プログラム２３５は、例えば、ＯＬＴＳ機器のメイン・ユニット２００が実行するテストを制御するコンピュータ・プログラム又はプログラム成分でもよい。テスト・マネージャー・プログラム２３５が用いるために収集され、発生され、維持されたデータは、メイン・ユニット２００の内部ストレージ２３４内に保持してもよい。このデータには、Ａ／Ｄ変換器２２８からのデジタル信号も含まれる。電源ブロック２３６は、メイン・ユニット２００を動作させる電源を提供し、ポータブル携帯用途にはバッテリ電源が適する。Ｉ／Ｏ（入出力装置）２３８は、メイン・ユニット２００のユーザに１つ以上のインタフェースを提供し、ユーザが動作及び結果の表示／出力をできるようにカーソル制御キー及び他のキーの如き表示装置及び入力装置（図２Ｂに示す）を含む。
【００２６】
図２Ｂを参照すると、本発明の実施例による図２Ａのメイン・ユニット２００の外観が示されている。メイン・ユニット２００は、図２Ｂに示す如き携帯型にて適切に提供される。本発明の実施例により、メイン・ユニット２００は、ユーザの手の中で保持される大きさのケース２５６、表示器２５８、複数のユーザ入力制御器２６０を備えている。なお、ユーザ入力制御器２６０は、例えば、カーソル制御キー、ボタン、選択ノブなどを備えているが、これらに限定するものではない。
【００２７】
図３を参照すれば、広範に設計されたファイバ光トランク・ケーブルの例が３００にて示されている。トランク・ケーブル３００は、例えば、図１の例示のネットワーク１００内のファイバ光リンク１１０として用いることができる。トランク・ケーブル３００は、複数の光ファイバ（その内のいくつかを図３に示す）と、ファイバの反対端での端子（図示せず）を含んでいる。図３から分かるように、ファイバ３０１〜３０４は、これらが複数の組を形成するように配置されている。例えば、隣接するファイバ３０１及び３０２が第１組を構成し、隣接するファイバ３０３及び３０４が第２組を構成し、以下同様である。各対は、伝送リンクを構成し、これを用いてデータ伝送及び受信を行う。これら複数のファイバは、当該分野で知られている任意のパターンに配置してもよい。
【００２８】
図４Ａは、２つの二重テスト基準コード（ＴＲＣ）を用いて基準パワー・レベルを確立する１つの可能な接続配置を示す図である。第１二重コード（以下、「第１ＴＲＣ」という）４０２は、ファイバの２つのより線（ストランド）４０２ａ及び４０２ｂから成る。典型的には、スナップ・フィッティング・コネクタにより終端される第１ストランド４０２ａを介して、第１ＴＲＣ４０２は、メイン・ユニット２２０の出力ポート２４０（光源２１２に接続されている）をリモート・ユニット４００の入力ポート４３０に接続する。入力ポート４３０は、リモート・ユニット４００のパワー・メータ（図４Ａに示さず）に接続される。図４Ａに示す基準配置では、ＴＲＣ４０２の第２ストランド４０２ｂが接続されない。第２二重コード（以下、「第２ＴＲＣ」という）４０４もファイバの２つのストランド４０４ａ及び４０４ｂから成る。第２ＴＲＣ４０４は、逆方向の接続を行う。すなわち、第２ＴＲＣ４０４は、第１ストランド４０４ａを介して、リモート・ユニット４００の出力ポート４３４をメイン・ユニット２００の入力ポート２２０に接続する。出力ポート４３４は、リモート・ユニット４００の光源（図４Ａに示さず）に接続される。メイン・ユニット２００の入力ポート２２０は、パワー・メータに接続してもよく、このパワー・メータは、光検出器２２４を含んでいる。第１ＴＲＣ４０２と同様に、図４Ａに示す基準配置において、第２ＴＲＣ４０４の第２ストランド４０４ｂは、接続されない。
【００２９】
図４Ａに示すように、ユーザがメイン・ユニット２００をリモート・ユニット４００に接続すると、ＯＬＴＳ機器は、好ましくは、各光源に対応する基準パワー・レベル値を測定する。基準パワー・レベル値を特定した後、ＯＬＴＳのメイン・ユニット２００は、図４Ｂに示すように、これらの値を表示器２５８によりユーザに示す。本発明の図示の実施例によれば、図４Ｂは、メイン・ユニット２００が用いるスクリーン表示の例を示し、２つの所定波長での測定結果を表している。表示された基準値が許容できるとユーザが理解すると、メイン・ユニット２００は、例えば、メモリ／ストレージ２３４に基準値を蓄積し、後述のように光ファイバ・リンク・テストに進む。
【００３０】
図４Ｃは、本発明の実施例により、ＯＬＴＳ機器の両方のユニットをＯＦＬＵＴ（被試験光ファイバ・リンク）に取り付ける接続配置を示す図である。ＯＦＬＵＴは、単一のファイバ、ファイバ対、又は複数のファイバで構成できる。ＯＦＬＵＴは、好ましくは、１対のファイバ（例えば、図３に示す隣接したファイバ３０１及び３０２）で構成される。メイン・ユニット２００及びリモート・ユニット４００の入力ポート２２０及び４３０からコネクタ４１６及び４１０を夫々切断（非接続）し、未使用の第２ストランド４０２ｂ及び４０４ｂのコネクタ４２０及び４２４をアダプタ４０６に夫々プラグイン接続して、メイン・ユニット２００及びリモート・ユニット４００を分離することにより、図４Ａに示す接続配置から図４Ｃに示す接続配置を形成できる。メイン・ユニット２００及びリモート・ユニット４００を分離した後、ユーザは、図４Ｃに示すように、ＯＦＬＵＴの各端部にてユニットを接続できる。例えば、コネクタ４２２を介してファイバ３０１の一端部４３６をメイン・ユニット２００に接続できると共に、コネクタ４１０を介してファイバ３０１の反対端部４３８をリモート・ユニット４００に接続できる。同様に、コネクタ４１６を介してファイバ３０２の一端部４４０をメイン・ユニット２００に接続できると共に、コネクタ４１８を介してファイバ３０２の反対端部４４２をリモート・ユニット４００に接続できる。
【００３１】
メイン・ユニット２００及びリモート・ユニット４００の両方をＯＦＬＵＴ（例えば、ファイバ３０１及び３０２）に接続するとき、ＯＬＴＳ機器は、好ましくは、ＯＦＬＵＴの総合挿入損失を測定する。本発明の好適実施例において、メイン・ユニット２００及びリモート・ユニット４００で実行されるテスト・マネージャー・プログラム２３５は、ＯＦＬＵＴを介して互いに通信を行う。本発明の好適実施例によれば、メイン・ユニット２００及びリモート・ユニット４００は、情報を交換できる。これら情報は、例えば、完全な接続又は部分的な接続の検出を示す情報、実施する測定の同期に関する制御情報、テスト結果データなどがあるが、これらに限られるものではない。テストのパワー測定部分の期間中、各ユニットの光源（即ち、図２Ａに示す光源２１２）は、各出力ポート２４０及び４３４を介して、選択された波長の連続波を放射する。一方、パワー・メータは、光損失の総合値を計算するために、入力ポート２２０及び４３０を介して受信した光パワーのレベルを測定し、測定値を基準パワー・レベルと比較する。この総合損失がＯＦＬＵＴ用の特定パラメータ以内ならば、テストは、パスする。光損失の総合値に加えて、ＯＬＴＳ機器がＯＦＬＵＴの長さも測定できる点に留意されたい。
【００３２】
図４Ｄは、図４ＣのＯＦＬＵＴの光損失テスト結果のスクリーン表示例を示す。本発明の実施例によれば、表示器２５８により、ＯＬＴＳ機器のメイン・ユニット２００がこれらテスト結果をユーザに示す。例示のテスト結果は、ファイバの詳細な測定値を示す。図４Ｄに示す如く、これら結果は、測定値が収集された両方の波長における損失を含んでいる。より限定的には、メイン・ユニット２００は、１３００ｎｍ及び８５０ｎｍにおける光損失テスト結果を表示する。表示されたテスト結果は、パス又は不良の如き状態インディケータ４５４を含んでもよい。図４Ｄに示す例示の結果は、メイン・ユニット２００の入力ポート２２０に接続されたファイバ３０２に関連している点に留意されたい。本発明の実施例において、メイン・ユニット２００は、ＯＦＬＵＴに包含される他のファイバ３０１に関係する光損失テスト結果も同様に表示できる。
【００３３】
ＯＦＬＵＴのテスト結果がユーザに示されると、メイン・ユニット２００は、好ましくは、これら結果を例えばメモリ／ストレージ２３４に蓄積し、次の被試験ファイバ（即ち、ファイバ３０３及び３０４）の識別子を表示できる。図４Ｃに示す接続配置により、ユーザがファイバ３０３及び３０４をメイン・ユニット２００及びリモート・ユニット４００に接続した後、メイン・ユニット２００は、好ましくは、接続を自動的に検出し、好ましくは、ファイバ３０３及び３０４に対して上述のテストを実行する。第２対（ファイバ３０３及び３０４）のテストが完了すると、メイン・ユニット２００は、好ましくは、図４Ｄに示すように結果を表示し、次の被試験対のＩＤ（識別子）が表示される。したがって、テストの完了でファイバ対、即ち、被試験ファイバの組（ＯＦＬＵＴ）が切断された後の各時点で、メイン・ユニット２００は、次の被試験ファイバのＩＤを示す。本発明の好適実施例において、メイン・ユニット２００及びリモート・ユニット４００で実行されるテスト・マネージャー・プログラム２３５は、夫々の入力ポート２２０及び４３０にて通信信号を受信したか否かの検出を継続する。リモート・ユニット４００は、好ましくは、この状態をメイン・ユニット２００に通信しようとする。両方の入力ポートにて信号が検出されると、そして可能ならば、使用するコネクタの形式に応じて、ある所定期間に対するある所定限界内でパワー・レベルが安定していると検出された後、完全な接続であると判断される。各時点にて、切断が検出され、新たな接続が行われ、ＯＬＴＳ機器が新たなテストを行う。有利な点として、各テストの間でＯＬＴＳ機器といかなる相互作用も必要とせずに、ＯＬＴＳ機器の両方のユニットをファイバ光ケーブル内に含まれる複数のファイバの組に再接続することにより、ユーザがファイバ光ケーブルのテストを容易に制御できるようにＯＬＴＳ機器がする。
【００３４】
本発明の代替実施例において、メイン・ユニット２００のみを用いて、一度に単一のファイバをテストできる。単一の被試験ファイバの各々を外部光源に接続してもよい。この代替実施例において、メイン・ユニット２００は、顕著な信号レベルを検出することによって、接続を継続的にチェックできる。検出された信号は、ＣＷ信号又は変調信号でもよい。メイン・ユニット２００は、表示器２５８により、測定した信号又は接続状態のある指示をユーザに表示する。信号の検出に応答して、又は信号が安定化したことの検出に応答して、メイン・ユニット２００は、次に新たなテストを行う。テストを行った後、メイン・ユニット２００は、信号レベルにおける顕著な低下を検出することにより切断をチェックする。
【００３５】
図５は、本発明の実施例による図２Ａのテスト・マネージャー・プログラム２３５の動作ステップの流れ図である。ステップ５０２にて、テスト・マネージャー・プログラム２３５は、好ましくは、被試験ファイバの組の識別子（ＩＤ）のレンジ（識別子の範囲を示すデータ）を受ける。本発明の実施例において、各ファイバの組は、１つ以上のファイバを備えている。好ましくは、各ファイバの組は、ファイバ対を備えている。テスト設定期間中、好ましくは、ファイバ光ケーブル３００（図３に示す）の如きトラック・ファイバ光ケーブルに含まれる複数のファイバの組に対応する複数の識別子をユーザが入力する。さらに、ユーザは、好ましくは、波長を含むテスト関係の１つ以上のパラメータを構成する。なお、パラメータは、波長に限定されない。ユーザは、好ましくは、例えば、メイン・ユニット２００の複数のユーザ入力制御器２６０を用いて、識別子を入力する。ＯＬＴＳ機器が不良ファイバを再テストするように構成されていると仮定すれば、ステップ５０２で受けたファイバ識別子のリストは、以前実行したテストで不良とされたファイバの組のリストを含んでもよい。ステップ５０２の後、ステップ５０４に進む。
【００３６】
ステップ５０４にて、テスト・マネージャー・プログラム２３５は、好ましくは、受けた識別子を分類し、メイン・ユニット２００の表示器２５８に対応する識別子を表示することによって、次の被試験ファイバの組を指示する。テスト・マネージャー・プログラム２３５は、例えば、ファイバ３０１及び３０２を含むファイバの第１対（組）を次にテストすると指示する。すなわち、ファイバ３０１及び３０２は、次のＯＦＬＵＴとなる。これに応答して、ユーザは、図４Ｄに示すように、ＴＲＣ４０２及び４０４を用いて、メイン・ユニット２００及びリモート・ユニット４００をファイバの第１対（ＯＦＬＵＴ）に接続しようとする。ステップ５０４の後、ステップ５０６に進む。
【００３７】
ステップ５０６にて、テスト・マネージャー・プログラム２３５は、好ましくは、第１ファイバの組（対）がＯＬＴＳ機器に接続されたか否かを判断する。本発明の実施例において、第１ファイバの組が接続されたか否かを検出するために、テスト・マネージャー・プログラム２３５は、好ましくは、メイン・ユニット２００の光源２１２（例えば、レーザ・ダイオード）が所定波長の変調「ピング」通信信号を被試験ファイバの１つに出力ポート２４０を介して発射するように指示する。これに応答して、リモート・ユニット４００は、好ましくは、同じ波長の類似信号を、ＯＦＬＵＴに含まれる他のファイバに出力ポート４３４を介して送る。判断ステップ５０６にて、ファイバの組が接続されたと判断したイエス（Ｙ）の場合は、ステップ５１６に進む。また、ファイバの組が接続されていないと判断したノー（Ｎ）の場合は、ステップ５０６の入口に戻り、この判断ステップ５０６を繰り返す。
【００３８】
次にステップ５１６にて、テスト・マネージャー・プログラム２３５は、好ましくは、例えば、光検出器２２４に命令することによりＯＦＬＵＴのテストを処理して、図４Ｃに関連して上述したように、メイン・ユニット２００の入力ポート２２０を介して受けた光パワーのレベルを測定する。次に、テスト・マネージャー・プログラム２３５は、好ましくは、測定した光パワー・レベル値を、図４Ａに示すようなテスト設定期間中に測定した基準パワー・レベルと比較する。ステップ５１６の後、ステップ５２４に進む。このステップ５２４にて、テスト・マネージャー・プログラム２３５は、好ましくは、ユーザが双方向性テストの実行に関心があるか否かを判断するために、ユーザが設定したテスト・パラメータを試験する。双方向性テストを実行すべきとの判断（ステップ５２４にてイエスＹの判断）に応答して、テスト・マネージャー・プログラム２３５は、好ましくは、ステップ５２６にて、双方向性テストの第１部分が完了したか否かをチェックする。本発明の実施例によれば、双方向性テストの第１部分は、一方向のみの各ファイバ（例えば、ファイバ３０１及び３０２）のテストを備えている。双方向性テストの第１部分が完了すると（ステップ５２６にてイエスＹの判断）、テスト・マネージャー・プログラム２３５は、好ましくは、ステップ５２８にてテストを保留し、ＯＦＬＵＴの反対方向をテストするために、ファイバ３０１及び３０２の反対端にてＴＲＣ４０２及び４０４を切り替えるようにユーザを促す。すなわち、図４Ｃに示す例示的な接続配置を持続して、双方向性テストの第２部分を実行するために、コネクタ４１６を介してファイバ３０１の第１端部４３６をメイン・ユニット２００に接続しなければならず、また、コネクタ４１８を介してファイバ３０１の反対端部４３８をリモート・ユニット４００に接続しなければならない。同様に、双方向性テストの第２部分の期間中に、コネクタ４２２を介してファイバ３０２の第１端部４４０をメイン・ユニット２００に接続しなければならず、また、コネクタ４１０を介してファイバ３０２の反対端部４４２をリモート・ユニット４００に接続しなければならない。よって、ステップ５２８の後、ステップ５３０に進み、このステップ５３０にて、テスト・マネージャー・プログラム２３５は、好ましくは、ＯＦＬＵＴが再接続されたか否かをチェックし、また、全体の長さが同じか否かをチェックする。なお、ステップ５２６にて、双方向性テストの第１部分のテストが完了していない場合は、ノーＮとなり、ステップ５２６の入口に戻って、この判断ステップ５２６を繰り返す。利点として、ここで述べたテスト方法は、ユーザが、対応接続を交換することなくテストを再開するのを防止する助けをする。この理由は、本発明の実施例によれば、ステップ５３０にてノーＮの場合、この判断ステップ５３０の入口に戻り、テスト・マネージャー・プログラム２３５は、好ましくは、切断及び再接続を確認する。ＯＦＬＵＴが再接続されたとの判断（ステップ５３０にてイエスＹの判断）に応答して、ステップ５３２にて、テスト・マネージャー・プログラム２３５は、好ましくは、双方向性テストを再開する。
【００３９】
判断ステップ５２４にてノーＮの場合、及びステップ５３２の後、ステップ５３４に進む。このステップ５３４にて、テスト・マネージャー・プログラム２３５は、好ましくは、第１ファイバの組のテストが完了したか否かを判断する。テスト・マネージャー・プログラム２３５が双方向性テストを制御して（ステップ５２４にて判断するように）、ステップ５３４にて、テスト・マネージャー・プログラム２３５は、好ましくは、双方向性テストの第２部分が完了したか否かをチェックする点に留意されたい。第１ファイバ対（組）のテストが完了したとの判断（ステップ５３４にてイエスＹ）に応答して、ステップ５３６にて、テスト・マネージャー・プログラム２３５は、好ましくは、例えば、メイン・ユニット２００の表示器２５８によりユーザにテスト結果を示す。なお、ステップ５３４にて、テストが完了していないと判断したノーＮの場合、ステップ５３４の入口に戻り、この判断ステップ５３４を繰り返す。双方向性テストの異なる部分から得た情報が組み合わされて、単一の結果を作成する。ファイバの組のテスト結果を表示した後、ステップ５０４に戻り、テスト・マネージャー・プログラム２３５は、好ましくは、被試験第２ファイバの組の識別子を表示する。例えば、第２ファイバの組は、図３に示すファイバ３０３及び３０４を含む。本発明の実施例によれば、テスト・マネージャー・プログラム２３５は、挿入損失テストに関係するファイバ光ケーブルに含まれる各ファイバの組に対して、ステップ５０４〜５３６を繰り返す。
【００４０】
利点として、ここで記載したＯＬＴＳ機器により、各テストの間のＯＬＴＳ機器とのいかなる相互作用も必要とせずに、ＯＬＴＳ機器の両方のユニットを複数の被試験ファイバに再接続することによって、ユーザは、挿入損失テストを容易且つ効果的に制御できる。
【００４１】
当業者には明らかなように、本発明の概念は、システム、方法、又はコンピュータ・プログラム製品として実施することができる。よって、本発明の概念は、全体的にハードウェアの実施例、全体的にソフトウェア実施例（ファームウェア、内蔵ソフトウェア、マイクロ・コードなど）、又は、ソフトウェア及びハードウェアの概念を組合せた実施例の形式をとることができ、これらは全てここでは一般的に「回路」、「モジュール」又は「システム」と呼んでもよい。さらに、本発明の概念は、具体化したコンピュータ読み取り可能なプログラム・コードを有する１つ以上のコンピュータ読出し可能な媒体にて実施されたコンピュータ・プログラム製品の形式をとることもできる。
【００４２】
１つ以上のコンピュータ読出し可能な媒体の任意の組合せを用いることもできる。コンピュータ読出し可能な媒体は、コンピュータ読出し可能な信号媒体、又はコンピュータ読出し可能なストレージ媒体（記録媒体）でもよい。コンピュータ読出し可能なストレージ媒体は、例えば、電気的、磁気的、光学的、電気磁気的、赤外線、又は半導体のシステム、装置又はデバイス、若しくは、これらの任意の適切な組合せでもよいが、これらに限定されるものではない。コンピュータ読出し可能なストレージ媒体の更なる特定例（不完全なリスト）は、１つ以上のワイヤを有する電気的接続、ポータブル・コンピュータ・ディスケット、ハードディスク、ランダム・アクセス・メモリ（ＲＡＭ）、リード・オンリ・メモリ（ＲＯＭ）、消去可能なプログラマブル・リード・オンリ・メモリ（ＥＰＲＯＭ又はフラッシュ・メモリ）、光学ファイバ、ポータブル・コンパクト・ディスク・リード・オンリ・メモリ（ＣＤ−ＲＯＭ）、光学ストレージ・デバイス、磁気ストレージ・デバイス、又はこれらの任意適切な組合せを含む。本明細書の文脈において、コンピュータ読出し可能なストレージ媒体は、命令実行システム、装置又はデバイスにより又はこれらに関連して用いるプログラムを含む又は蓄積できる任意の具体的な媒体でもよい。
【００４３】
コンピュータ読出し可能な信号媒体には、例えば、ベースバンド又はキャリア波の部分にて具体化されたコンピュータ読出し可能なプログラム・コードを伴う伝搬されたデータ信号が含まれる。かかる伝搬された信号は、電気磁気、光又はこれらの任意の適切な組合せを含む種々の形式をとるが、これらに限定されるものではない。コンピュータ読出し可能な信号媒体は、インストラクション実行システム、装置又はデバイスによって又は関連して使用されるためにプログラムを通信する、伝搬する又は伝送することが可能であるが、コンピュータ読出し可能なストレージ媒体ではない任意のコンピュータ読出し可能な媒体でもよい。
【００４４】
コンピュータ読出し可能な媒体にて具体化されるプログラム・コードは、無線、有線、光ファイバ・ケーブル、ＲＦなど、又はこれらの任意の適切な組合せを含む任意の適切な媒体を用いて伝送できるが、これらに限定されるものではない。
【００４５】
本発明の概念に対して動作を実行するコンピュータ・プログラム・コードは、Java（登録商標）、Smalltalk、C++などのオブジェクト指向プログラミング言語や、Ｃプログラミング言語又は類似のプログラミング言語の如き従来の手続きプログラミング言語を含む１つ以上のプログラミング言語の任意の組合せによって記述できる。
【００４６】
本発明の実施例による方法、装置（システム）及びコンピュータ・プログラム製品の流れ図及び／又はブロック図を参照して本発明の概念を上述した。流れ図及び／又はブロック図の各ステップ／ブロックと、流れ図及び／又はブロック図内のステップ／ブロックの組合せは、コンピュータ・プログラム・インストラクションで実現できることが理解できよう。これらコンピュータ・プログラム・インストラクションを汎用コンピュータ、特定目的コンピュータ又は他のプログラマブル・データ処理装置のプロセッサに供給してマシーンを構成できる。よって、コンピュータ又は他のプログラマブル・データ処理装置のプロセッサにより実行されるインストラクションは、流れ図及び／又はブロック図の単一又は複数のブロックにて特定される機能／動作を実現する手段を形成する。
【００４７】
これらコンピュータ・プログラム・インストラクションは、コンピュータ、他のプログラマブル・データ処理装置又は他のデバイスを命令できるコンピュータ読出し可能な媒体にも蓄積（記録）されて、特定の方法で機能する。よって、コンピュータ読出し可能な媒体に蓄積されたインストラクションは、流れ図及び／又はブロック図の単一又は複数のブロックにて特定された機能／動作を実現するインストラクションを含む製品を生み出す。
【００４８】
コンピュータ、他のプログラマブル・データ処理装置、又は他のデバイスにコンピュータ・プログラム・インストラクションをロードでき、コンピュータ、他のプログラマブル装置又は他のデバイスにて一連の動作ステップを実行し、コンピュータで実行する処理を生成できる。よって、コンピュータ又は他のプログラマブル装置で実行するインストラクションは、流れ図及び／又はブロック図の単一又は複数のブロックにて特定される機能／動作を実現する処理を提供する。
【００４９】
図示した流れ図及びブロック図は、本発明の実施例によるシステム、方法及びコンピュータ・プログラム製品の可能な実施のアーキテクチャ、機能及び動作を示す。この点に関し、流れ図又はブロック図における各ブロックは、モジュール、セグメント又はコード部分を表す。これらは、特定の論理的機能を実現する１つ以上の実行可能なインストラクションを構成する。いくつかの別の実施において、ブロックが示す機能が図に示す順序で行われなくてもよいことに留意されたい。例えば、図示の連続した２つのブロックは、含まれる機能に応じて、実際には、ほぼ同時に実行してもよいし、これらブロックを時として逆の順序で実行してもよい。ブロック図及び／又は流れ図の各ブロック／ステップと、ブロック図及び／又は流れ図における複数のブロック／ステップの組合せは、特定機能又は動作を実行する特定目的のハードウェアに基づくシステム、又は特定目的ハードウェア及びコンピュータ・インストラクションの組合せによって実現できる点に留意されたい。
【００５０】
説明のために本発明の種々の実施例を述べたが、開示した実施例に限定しようとするものではない。本発明の要旨及び精神を逸脱することなく、多くの変形変更が可能であることが当業者には明らかであろう。本発明の原理、実際のアプリケーション、又は市場において見つかる技術に対する技術的な改良を最良に説明するために、また、当業者にここで開示した本発明の実施例を理解できるように、本願で用いた用語を選択したものである。
【符号の説明】
【００５１】
１００  通信ネットワーク
１１０  ファイバ光リンク
２００  ＯＬＴＳ機器のメイン・ユニット
２１２  光源
２２０  入力ポート
２２４  光検出器
２２６  増幅器
２２８  アナログ・デジタル変換器
２３０  利得スイッチ
２３２  マイクロプロセッサ（ＣＰＵ）
２３４  メモリ／ストレージ
２３５  テスト・マネージャー・プログラム
２３６  電源ブロック
２３８  入出力装置
２４０  出力ポート
２５８  表示器
２６０  ユーザ入力制御器
３００  ファイバ光トランク・ケーブル
３０１〜３０４  ファイバ
４００  ＯＬＴＳ機器のリモート・ユニット
４０２  第１二重コード（第１ＴＲＣ）
４０４  第２二重コード（第２ＴＲＣ）
４０６  アダプタ
４１０、４１６、４１８、４２０、４２２、４２４  コネクタ
４３０  入力ポート
４３４  出力ポート
４３６、４４０  端部
【図１】
2015059938.tif 000003
【図２Ａ】
2015059938.tif 000004
【図２Ｂ】
2015059938.tif 000005
【図３】
2015059938.tif 000006
【図４Ａ】
2015059938.tif 000007
【図４Ｂ】
2015059938.tif 000008
【図４Ｃ】
2015059938.tif 000009
【図４Ｄ】
2015059938.tif 000010
【図５】
2015059938.tif 000011